(57)【要約】【課題】  監視者により設定された任意の時間間隔で数値データを抽出・表示することができる情報処理装置を提供する。【解決手段】  被測定対象を一定間隔毎に測定値を検出する計測部と、  前記測定値を前記測定値が検出された時間情報と関連付けて記憶する記憶部と、  帳票表示期間および締め間隔を設定する第一の設定操作部と、  前記帳票表示期間および締め間隔を再設定する第二の設定操作部と、  前記第一の設定操作部または前記第二の設定操作部によって設定された前記帳票表示期間および締め間隔から作表に必要な測定値および時間情報を上記記憶部から読み出して帳票を作成する帳票作成部と、を備える情報処理装置。【選択図】図１
2012048663.tif 000002
【特許請求の範囲】
【請求項１】
被測定対象を一定間隔毎に測定値を検出する計測部と、
前記測定値を前記測定値が検出された時間情報と関連付けて記憶する記憶部と、
帳票表示期間および締め間隔を設定する第一の設定操作部と、
前記帳票表示期間および締め間隔を再設定する第二の設定操作部と、
前記第一の設定操作部または前記第二の設定操作部によって設定された前記帳票表示期間および締め間隔から作表に必要な測定値および時間情報を上記記憶部から読み出して帳票を作成する帳票作成部と、
を備える情報処理装置。
【発明の詳細な説明】
【技術分野】
【０００１】
本発明の実施形態は、情報処理装置に関する。
【背景技術】
【０００２】
時間毎に取得される電圧、電流、電力、気温、湿度、水深等の各種数値データについて、その特徴や傾向を視覚的に把握するための手法として、グラフが一般的に利用されている。
【０００３】
このような時間毎に取得される時系列データは、個々のデータが時間軸上の特定の時点における事象を示したデータであることに鑑み、時間軸に沿った変動傾向の分析や、特定の時間帯に着目した解析が行われる。
【０００４】
例えば、情報処理装置により一定時間毎に作表処理機能により日報ファイルが作成され、日報ファイルから月報ファイルを作成することにより行われる。
【先行技術文献】
【特許文献】
【０００５】
【特許文献１】特開２０００−２５９６０７号公報
【発明の概要】
【発明が解決しようとする課題】
【０００６】
このような情報処理装置は、予め定められた数値データを取り出す間隔を変更をすることができなかった。
【０００７】
上記の事情に鑑み、監視者により設定された任意の時間間隔で数値データを抽出することができる情報処理装置を提供する。
【課題を解決するための手段】
【０００８】
上記目的を達成するために、本情報処理装置は、
被測定対象を一定間隔毎に測定値を検出する計測部と、
前記測定値を前記測定値が検出された時間情報と関連付けて記憶する記憶部と、
帳票表示期間および締め間隔を設定する第一の設定操作部と、
前記帳票表示期間および締め間隔を再設定する第二の設定操作部と、
前記第一の設定操作部または前記第二の設定操作部によって設定された前記帳票表示期間および締め間隔から作表に必要な測定値および時間情報を上記記憶部から読み出して帳票を作成する帳票作成部と、
を備える。
【図面の簡単な説明】
【０００９】
【図１】第１の実施形態に係る情報処理装置の形態を示す構成図。
【図２】第２の実施形態に係る帳票作成設定画面の例を示す図。
【図３】第３の実施形態に係る帳票の例を示す図。
【図４】第１の実施形態に係る情報処理装置のフローを示す図。
【発明を実施するための形態】
【００１０】
以下、本発明の実施の形態について図面を参照して説明する。
【００１１】
（第１の実施形態）
図１は第１の実施形態に係る情報処理装置の形態を示す構成図である。
【００１２】
本情報処理装置は、図１に示すように計測装置１１、１２、１３と、帳票データベース２０と、作表処理部３０と、拡大・縮小操作部３１と、期間・締め間隔設定操作部３２と、表示部４０とを含む構成である。これら各構成要素は通信可能な有線回線または無線回線で接続されている。
【００１３】
計測装置１１、１２、１３は、複数個所に分散配置されたセンサから変換伝送出力される各測定値に対応したアナログ電気信号を一定時間毎に取込む。例えば、数秒から一分間隔毎に河川に設置されたテレメータで計測された測定値を取り込む。これらアナログ電気信号を測定時刻と対応づけて所定ビット数のデジタル信号に変換し帳票データベース２０に格納する。その他計測装置として温度計等の各種センサを用いることができる。
【００１４】
帳票データベース２０は、計測装置１１、１２、１３から送られてきた各種データを格納する。その他、ユーザの設定に応じて、トレンド、日報、週報、月報、・年報、積算・警報履歴などに各種データを加工編集して記憶させてもよい。データベースとしてハードディスクやフラッシュメモリ等、各種記憶媒体を利用することができる。
【００１５】
作表処理部３０は、設定された帳票表示期間および締め間隔から帳票を作成する。例えば、期間・締め間隔設定操作部３２により、２０１０年３月１日３時２０分を開始日時、２０１０年３月１日９時２０分を終了日時、表示時間間隔を１５分との設定がなされたとする。この場合、作表処理部３０は、帳票データベース２０から作表に必要なデータを読み出し、図３に示すように２０１０年３時２０分から１５分間毎の最大値、最小値、平均値を算出し帳票を作成する。作成した帳票を表示部４０へ表示させる。
【００１６】
また、作表処理部３０は、拡大・縮小操作部３１により、帳票表示期間・締め間隔の設定が新たになされた場合に、必要なデータを帳票データベース２０から読み出し、新たに帳票を作成し、表示部４０へ送出する。
【００１７】
拡大・縮小操作部３１は、帳票表示期間・締め間隔を再設定する機器である。例えば、マウスのホイールボタンである。ホイールボタンを一の方向に回転させた場合、表示期間や締め間隔を長くし、ホイールボタンを他の方向に回転させた場合、表示期間や締め期間を短縮する。これら、ホイールボタンの回転によりどの程度の期間・締め間隔の変更がなされるか等の割合は予め設定されていてもよいし、キーボードなどからの入力により変更できる仕様であってもよい。例えば、１５°ホイールボタンを一の方向へ回転させると１５分間隔であった表示期間が３０分間隔での表示に変更させ、他の方向へ回転させると１５分間隔であった表示期間が７．５分間隔の表示に変更させる。また、同様に１５°ホイールボタンを一の方向へ回転させると６時間の表示期間を１２時間へ変更し表示するといった具合である。また、他の例として、図３の２０１０／０３／０１  ０５：３０の文字上にカーソルを合わせてをクリックした次にホイールボタンを一の方向へ回転させると、２０１０／０３／０１  ０５：３０〜５：４５分までの間の取得情報が５分毎、１分毎など表示間隔を変更し表示させる方法もある。
【００１８】
なお、表示期間の変更にあたり、基準となる時刻はホイールボタン回転前の表示開始および終了時刻の中間時刻とすることが好適である。
【００１９】
期間・締め間隔設定操作部３２は、帳票表示期間・締め間隔を設定する機器である。例えば、キーボードである。このキーボードにより、例えば図２に示すような帳票作成設定画面が表示部４０に表示されており、設定画面の所定箇所に数値を入力することにより、帳票表示期間・締め間隔を設定する。本実施形態では、開始日時・終了日時等、時間間隔設定などの項目としているがこれに限ることなくその他、月や年度であってもよい。
【００２０】
表示部４０は、作表処理部３０により作成された帳票を表示する。また、帳票作成設定画面がある場合は、それら設定画面を表示する。例えば、液晶ディスプレイなどの表示機器をいい、その他表示機能をもつ各種表示機器を利用することができる。
【００２１】
次に、本実施形態の動作について図４を参照しながら説明する。
【００２２】
計測装置１１、１２、１３は、複数個所に分散配置されたセンサから変換伝送出力される各測定値に対応したアナログ電気信号を一分間隔毎に測定値を取り込む。これらアナログ電気信号を測定時刻と対応づけて所定ビット数のデジタル信号に変換し帳票データベース２０に格納する（ステップＳ１０１）。
【００２３】
次に、期間・締め間隔設定操作部３２から帳票表示期間および締め間隔が設定され作表処理部３０に入力される（ステップＳ１０２）。
【００２４】
作表処理部３０は、帳票データベース２０から必要なデータを読み出し設定された帳票表示期間および締め間隔から帳票を作成する。例えば、期間・締め間隔設定操作部３２により、２０１０年３月１日３時２０分を開始日時、２０１０年３月１日９時２０分を終了日時、時間設定を１５分との設定がなされたとする。この場合、作表処理部３０は、帳票データベース２０から必要なデータを読み出し図３に示すように２０１０年３時２０分から１５分間毎の最大値、最小値、平均値を算出し帳票を作成する。作成した帳票を表示部４０へ表示させる（ステップＳ１０３）。
【００２５】
表示部４０は、作表処理部３０により作成された帳票を表示する（ステップＳ１０４）。
【００２６】
ここで拡大・縮小操作部３１により、帳票表示期間・締め間隔の設定が変更された場合（ステップＳ１２０−ＹＥＳ）に、新たな帳票表示期間・締め間隔を作表処理部３０へ送出する（ステップＳ１０６）。作表処理部３０は新たに必要なデータを帳票データベース２０から読み出し、新たに帳票を作成し、表示部４０へ送出する。例えば、マウスのホイールボタンを一の方向に回転させた場合、回転の程度に対応させて例えば表示期間および締め間隔を長くし、２０１０年２月１日０時０分から２０１０年４月１日の０時０分の２時間毎のデータを表示する。またホイールボタンを他の方向に回転させた場合、回転の程度に対応させて表示期間および締め期間を短縮し、例えば、２０１０年３月１日３時２０分から２０１０年３月１日４時２０分までのデータを２分毎に表示する。
【００２７】
拡大・縮小操作部３１によりなんら操作がなされなかった場合は、処理を終了する（ステップＳ１２０−ＮＯ）。
【００２８】
このように、本情報処理装置によれば、帳票表示期間と締め間隔を設定することにより容易に帳票表示画面に表示したい任意の期間・間隔を設定することができる。
【００２９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１１、１２、１３  …  計測装置
２０  …  帳票データ
３０  …  作表処理部
３１  …  拡大・縮小操作部
３２  …  期間・締め間隔設定操作部
４０  …  表示部
【図１】
2012048663.tif 000003
【図２】
2012048663.tif 000004
【図３】
2012048663.tif 000005
【図４】
2012048663.tif 000006